(57)【要約】【課題】装飾的効果を施して楽しみながら充電することができるワイヤレス充電器を提供する。【解決手段】    電気エネルギーを発信する充電コイルと、当該充電コイルを収納し上面が平面上に形成されたカバー２とから大略構成されるワイヤレス充電器１において、円形のカバー上面の上蓋３には、魔法陣又は魔法円４の図が描かれている。魔法陣又は魔法円４は、透光性の素材で形成されていて、カバー２内部に収納された複数のＬＥＤ等の発光手段及び当該発光手段を制御する制御手段により、様々なパターンで発光するようになっている。【選択図】  図１
2020092586.tif 000002
【特許請求の範囲】
【請求項１】
電気エネルギーを発信する充電コイルと、当該充電コイルを収納し上面が平面上に形成されたカバーとから大略構成されるワイヤレス充電器において、
前記カバー上面には、魔法陣又は魔法円の図が描かれていること、
を特徴とするワイヤレス充電器。
【請求項２】
前記カバー上面は円形に形成されていること、
を特徴とする請求項１に記載のワイヤレス充電器。
【請求項３】
前記カバー上面の魔法陣又は魔法円の図は、透光性の素材で形成されていること、
を特徴とする請求項１又は２に記載のワイヤレス充電器。
【請求項４】
前記カバー内部には、前記魔法陣又は魔法円の図を発光させるための発光手段が収納されていること、
を特徴とする請求項１から３までのいずれか１項に記載のワイヤレス充電器。
【請求項５】
前記カバー内部には、前記発光手段の発光個所を制御するための制御手段が設けられていること、
を特徴とする請求項４に記載のワイヤレス充電器。
【請求項６】
前記魔法陣又は魔法円の図は、１以上の二重の円と、五芒星、六芒星、七芒星、八芒星のいずれか又は複数の四角あるいは三角を組み合わせて描いた星型図形を備えていること、
を特徴とする請求項１から５までのいずれか１項に記載のワイヤレス充電器。
【請求項７】
前記魔法陣又は魔法円の図は、前記カバー上面にスマートフォンが置かれた状態で、前記発光手段及び前記制御手段により、全体が発光するまで部分的に順々に発光してゆくこと、
を特徴とする請求項５又は６に記載のワイヤレス充電器。
【発明の詳細な説明】
【技術分野】
【０００１】
本発明は、スマートフォンの電池を充電するワイヤレス充電器に関する。  
【背景技術】
【０００２】
充電器本体の上面にスマートフォンを置いてスマートフォンの電池を充電するワイヤレス充電器が知られている。このワイヤレス充電器は機能面が重視されてきたため、外観や装飾面は考慮されておらず、充電中に楽しむ要素がなかった。
【発明の概要】
【発明が解決しようとする課題】
【０００３】
本発明は上記従来のワイヤレス充電器に装飾的効果を施して楽しみながら充電することができるワイヤレス充電器を提供するものである。
【課題を解決するための手段】
【０００４】
上記解題を解決するために、本発明に係るワイヤレス充電器の第１の特徴は、電気エネルギーを発信する充電コイルと、当該充電コイルを収納し上面が平面上に形成されたカバーとから大略構成されるワイヤレス充電器において、前記カバー上面に、魔法陣又は魔法円の図が描かれていることにある。
【０００５】
また、本発明に係るワイヤレス充電器の第２の特徴は、前記第１の特徴における前記カバー上面が円形に形成されていることにある。
【０００６】
さらに、本発明に係るワイヤレス充電器の第３の特徴は、前記第１又は第２の特徴における前記カバー上面の魔法陣又は魔法円の図が、透光性の素材で形成されていることにある。
【０００７】
さらにまた、本発明に係るワイヤレス充電器の第４の特徴は、前記第１から３までのいずれか１の特徴における前記カバー内部に、前記魔法陣又は魔法円の図を発光させるための発光手段が収納されていることにある。
【０００８】
また、本発明に係るワイヤレス充電器の第５の特徴は、前記第４の特徴における前記カバー内部に、前記発光手段の発光個所を制御するための制御手段が設けられていることにある。
【０００９】
さらに、本発明に係るワイヤレス充電器の第６の特徴は、前記第１から第６の特徴における前記魔法陣又は魔法円の図が、１以上の二重の円と、五芒星、六芒星、七芒星、八芒星のいずれか又は複数の四角あるいは三角を組み合わせて描いた星型図形を備えていることにある。
【００１０】
さらにまた、本発明に係るワイヤレス充電器の第７の特徴は、前記第５又は第６の特徴における前記魔法陣又は魔法円の図が、前記カバー上面にスマートフォンが置かれた状態で、前記発光手段及び前記制御手段により、全体が発光するまで部分的に順々に発光してゆくことにある。
【発明の効果】
【００１１】
本発明によれば、充電のためスマートフォンを載せる部分に魔法陣又は魔法円の図が描かれており、その図が様々なパターンで点灯するので、スマートフォンの充電中も楽しむことができる。
【図面の簡単な説明】
【００１２】
【図１】図１は、本発明に係るワイヤレス充電器の斜視図である。
【図２】図２は、魔法陣又は魔法円の基本的な図形を示す図である。
【発明を実施するための形態】
【００１３】
以下、図を参照して、本発明の実施形態を説明する。
【実施例１】
【００１４】
図中、１はワイヤレス充電器本体であり、２は本体１のカバーである。カバー２は、底板（図示せず）と底板上に被覆固定する上蓋３とを含み、底板上には基板（図示せず）、コイル（図示せず）、複数のＬＥＤ等の発光手段（図示せず）及び前記発光手段を制御する発光制御手段（図示せず）が設けられていて、それらはカバー２内に収納されている。
【００１５】
上蓋３の上面には、魔法陣又は魔法円４の図が描かれている。魔法陣又は魔法円４とは、例えば図２にあるように、二重の円１１、１２で構成され、２つの円の間の帯状のスペース１３、１４にヘブライ文字、ラテン文字、ギリシア文字、ルーン文字などの文字や図形が記され、内側に五芒星、六芒星、七芒星、八芒星など又は複数の四角や三角などを組み合わせて描いた星型図形のような魔術的シンボル１５が配される図形をいう。本発明では、魔法陣又は魔法円４は装飾的効果があればよく、描かれる文字は現実に存在するか否かを問わず、また上記二重の円は少なくとも１以上あればよく、特定の図のものはない。
【００１６】
上蓋３は、プラスチック等の樹脂材で、魔法陣又は魔法円４に合わせて円形に構成され、スマートフォンを載置するために上面が平面状に形成されている。魔法陣又は魔法円４の図の部分は透光性の部材で形成される発光部５ａ、５ｂ、５ｃ、５ｄ、５ｅ、５ｆ、５ｇとして、前記ＬＥＤ等の発光手段の光を発光するようになっている。従って、前記ＬＥＤ等の発光手段は発光部５ａから５ｇに沿って配設されるのが望ましい。なお、発光部５ａから５ｇの色彩は特に限定されない。
【００１７】
７は電源供給コードであり、ＵＳＢなどのインターフェイスで充電器本体１と接続され、充電器本体１に電気を供給する。電源供給コード７が電源（図示せず）及び充電器本体１に接続された状態で、スマートフォン６を上蓋３上に載置すると、充電器本体１内のコイルとスマートフォン６内のコイルの誘導によって電流を生じさせ、誘電電流を電磁波信号に変換し、その電磁波信号を充電器本体１からスマートフォン６に伝送した後に、スマートフォン６内の受信装置を介して受信した電磁波信号がスマートフォン６の充電に使用する直流電源に変換されることにより、スマートフォン６の電池に対して充電が開始される。
【００１８】
本実施例では、スマートフォン６への充電が開始されると、前記発光手段の発光により魔法陣又は魔法円４が点灯するようになっている。前記発光制御手段により、前記発光手段の発光が制御されて魔法陣又は魔法円４が部分的に時間差をもって順々に光るようになっており、例えば発光部５ａが最初に発光した後、次に発光部５ｂ、５ｃ、５ｄ、５ｅ、５ｆ、５ｇが順番に発光し、最後に魔法陣又は魔法円４全体が発光する。なお、発光部５ｇから５ａへと逆に点灯してゆくようにしてもよい。魔法陣又は魔法円４全体が光った後、消灯させ、または、そのまま発光させておくようにしてもよいし、一旦消灯させた後また同じように発光を繰り返してもよい。
【００１９】
さらに、スマートフォン６の充電が完了したときに魔法陣又は魔法円４全体が発光するようにしたり、あるいはスマートフォン６の充電が完了すると、魔法陣又は魔法円４全体を消灯するように前記ＬＥＤ制御手段により調整することも可能である。また、魔法陣又は魔法円４全体が発光した後に、スマートフォン６の充電を開始するようにしてもよい。
【００２０】
以上、本発明の実施例につき図面など参照して詳細に説明したが、本考案はこれに限定されず、特許請求の範囲に記載した構成の範囲内において様々な態様で実施することができる。
【産業上の利用可能性】
【００２１】
本願発明に係るワイヤレス充電器は、インテリアとしても価値があり、例えば発光制御手段によりスマートフォンの非充電時においても魔法陣又は魔法円４を点灯させるようにすることにより、室内の装飾的効果が高まる。
【符号の説明】
【００２２】
１    ワイヤレス充電器本体
２    ワイヤレス充電器カバー
３    上蓋
４    魔法陣又は魔法円の図
５    発光部
６    スマートフォン
【図１】
2020092586.tif 000003
【図２】
2020092586.tif 000004